(57)【要約】      （修正有）【課題】手乾燥装置の水処理において、外部から目視できない排水の水路の汚れの発生を自動で検知し、報知する手乾燥機を提供する。【解決手段】送風口４４ａ、４４ｂおよび手挿入部１１を有する筐体９、１０と、送風口から手挿入部に乾燥風を供給する送風機４２と、手挿入部の下方に設けられた水滴を溜めるドレンタンク１２と、手挿入部に接続され手挿入部の水を前記ドレンタンクへ導く水路１９と、水路の汚れを検知する汚れ検知センサー２２ｃ、２２ｄと、送風機の運転を制御する制御手段３０とを備えた手乾燥装置。【選択図】図２
2015084961.tif 000002
【特許請求の範囲】
【請求項１】
送風口および手挿入部を有する筐体と、前記送風口から前記手挿入部に乾燥風を供給する送風機と、前記手挿入部の下方に設けられた水滴を溜めるドレンタンクと、前記手挿入部に接続され前記手挿入部の水を前記ドレンタンクへ導く水路と、前記水路の汚れを検知する検知センサーと、前記送風機の運転を制御する制御手段とを備えたことを特徴とする手乾燥装置。
【請求項２】
前記検知センサーは、前記水路の近傍に配置された導電線と、前記導電線の静電容量に基づいて前記水路の汚れを検知する汚れ検知手段とを備えたことを特徴とする請求項１に記載の手乾燥装置。
【請求項３】
前記水路は、前記手挿入部の底部に設けられた排水口と、一方の端が前記排水口に接続され前記排水口からの水を前記ドレンタンクへ導く排水管とを備え、前記導電線が前記排水口の外側近傍または前記排水管の下端の外側近傍の少なくともどちらか一方に設けられていることを特徴とする請求項２に記載の手乾燥装置。
【請求項４】
前記水路は、前記手挿入部の底部に設けられた排水口と、一方の端が前記排水口に接続され前記排水口からの水を前記ドレンタンクへ導く排水管とを備え、前記導電線は前記排水管の角度が変わる急変部の外側近傍に設けられていることを特徴とする請求項２に記載の手乾燥装置。
【請求項５】
前記水路は、前記手挿入部の底部に設けられた排水口と、一方の端が前記排水口に接続され前記排水口からの水を前記ドレンタンクへ導く排水管とを備え、前記導電線は前記排水管の断面積が小さく変わる急変部の外側近傍に設けられていることを特徴とする請求項２に記載の手乾燥装置。
【請求項６】
前記汚れ検知手段は、前記導電線の静電容量が所定の閾値以上であると判断した場合に汚れの発生を検知することを特徴とする請求項２〜請求項５のいずれか一つに記載の手乾燥装置。
【請求項７】
前記筐体に汚れの発生を知らせる報知手段を備え、前記汚れ検知手段が前記導電線の静電容量が所定の閾値以上であると判断した場合に、前記制御手段は前記報知手段を動作させ汚れの発生を報知することを特徴とする請求項６に記載の手乾燥装置。
【請求項８】
前記汚れ検知手段が前記導電線の静電容量が所定の閾値以上であると判断した場合に、前記制御手段は前記送風機の運転を禁止することを特徴とする請求項６に記載の手乾燥装置。
【請求項９】
前記筐体に汚れの発生を知らせる報知手段を備え、前記導電線の静電容量が所定の第一の閾値以上である判断した場合には、前記制御手段が前記報知手段を動作させ汚れの発生を報知するとともに、前記導電線の静電容量が前記第一の閾値よりも静電容量の大きい所定の第二の閾値以上であると判断した場合には、前記制御手段が前記送風機の運転を禁止することを特徴とする請求項２〜請求項５のいずれか一つに記載の手乾燥装置。
【発明の詳細な説明】
【技術分野】
【０００１】
本願発明は、化粧室、公衆洗面所、食品工場などの食品衛生管理のための手洗い場等の手洗い等において、ユーザーが手を洗った後に濡れた手を乾燥させるための手乾燥装置に関する。
【背景技術】
【０００２】
従来の手乾燥装置として例えば特許文献１には、高圧空気流を発生させる高圧空気流発生装置と、この高圧空気流発生装置により発生された高圧空気流を噴出するノズルと、このノズルから噴出された高圧空気流により手から吹き飛ばされた水を排水する排水口とを有する手挿入部と、本体の下方に着脱可能に設けられ水を貯めるドレンタンクと、排水口に接続され排水口からの水をドレンタンクに導く配水管を備え、排水口は手挿入部の底部の一部を下方に延出させて形成した延出部により構成され、この延出部の端部と配水管の内壁との間に隙間が形成された手乾燥装置が開示されている。
そして、延出部の端部と配水管の内壁との間に隙間を形成することで、延出部に付着した水が延出部と配水管との接触部に浸入することがないため、接触部での汚れの残留を防止している。
【先行技術文献】
【特許文献】
【０００３】
【特許文献１】特開２００３−１８０５５３号公報（請求項１、段落「００１４」、段落「００２１」）
【発明の概要】
【発明が解決しようとする課題】
【０００４】
しかしながら、手から除去された水には、汚れ（油脂、洗剤、埃、土、砂、髪の毛、他）が含まれているため、水の流れが変化する場所、物理的な角や端部、凸などがある場所では水に含まれる汚れが堆積しやすい。特に比較的平坦な手挿入部の底から鉛直方向に水の流れが急変する排水口の入口、筒状に下方に延びた排水口の延出部の下方端部、排水管の曲がり部分、配水管の下方端部などに汚れが堆積しやすい。そのため、定期的に水路を清掃する必要があるが、外部から排水口の入り口以外の水路内を目視することができず、水路内の汚れの堆積具合を確認できないため、日頃の清掃作業において汚れの堆積に気付かずに放置されてしまうという問題があった。また、放置され続けてしまった場合には、堆積した汚れから異臭が発生したり、汚れの堆積が進行して水路が詰ってしまうという問題があった。
【０００５】
この発明は、上述のような課題を解決するためになされたもので、水路の中を直接目視で確認しなくても、水路の中の汚れを自動で検知することができる手乾燥装置を得るものである。
【課題を解決するための手段】
【０００６】
この発明に係る手乾燥装置においては、送風口および手挿入部を有する筐体と、送風口から手挿入部に乾燥風を供給する送風機と、手挿入部の下方に設けられた水滴を溜めるドレンタンクと、手挿入部に接続され手挿入部の水をドレンタンクへ導く水路と、水路の汚れを検知する検知センサーと、送風機の運転を制御する制御手段とを備えたものである。
【発明の効果】
【０００７】
この発明に係る手乾燥装置によれば、水路の中を直接目視で確認しなくても、水路の中の汚れを自動で検知することができる。
【図面の簡単な説明】
【０００８】
【図１】この発明の実施の形態１に示す手乾燥装置の斜視図である。
【図２】この発明の実施の形態１に示す手乾燥装置において、（ａ）手乾燥装置のケーシングの内側を背面側から見た概念図であり、（ｂ）は右側面から見た断面概念図である。
【図３】この発明の実施の形態１に示す手乾燥装置において、（ａ）および（ｂ）は、ケーシングの内壁に設けた開口部を含む溝部を示す斜視図および平面図である。
【図４】この発明の実施の形態１に示す手乾燥装置において、（ａ）および（ｂ）は、図３（ａ）および（ｂ）の変形例による溝部を示す斜視図および平面図である。
【図５】この発明の実施の形態１に示す手乾燥装置において、制御に関する全体のブロック図である。
【図６】この発明の実施の形態１に示す手乾燥装置において、排水の水路を示す正面断面図である。
【図７】この発明の実施の形態１に示す手乾燥装置において、排水の水路の別の変形例を示す左側面断面図である。
【図８】この発明の実施の形態２に示す手乾燥装置において、排水の水路を示す正面断面図である。
【図９】この発明の実施の形態２に示す手乾燥装置において、プリント基板（ＰＣＢ）の正面図である。
【図１０】この発明の実施の形態３に示す手乾燥装置において、排水の水路を示す左側面断面図である。
【図１１】この発明の実施の形態４に示す手乾燥装置において、排水の水路を示す正面断面図である。
【発明を実施するための形態】
【０００９】
実施の形態１.
以下、添付図面を参照して本願発明に係る静電容量式の検知センサー（以下、単に「検知センサー」または「検出部」という。）およびこれを用いた手乾燥装置（ハンドドライヤー）の実施の形態を説明する。以下の実施の形態の説明において、理解を容易にするために方向を表す用語（例えば「左右方向」または「前後方向」など）を適宜用いるが、これらは説明のためのものであって、これらの用語は本願発明を限定するものでない。また、各添付図面において、同様の構成部品は同様の参照符号を用いて図示されている。
【００１０】
図１は本願発明の実施の形態１による手乾燥装置１を示す斜視図である。手乾燥装置１は、ユーザーが手を洗った後に、水で濡れた手に乾燥風を当てて、手を乾燥させるためのものである。この手乾燥装置１は、外郭を形成するとともにユーザーの手を挿入するための凹状の空間である手挿入部１１を形成するケーシング（筐体）１０と、手乾燥装置１の背面の外郭を形成する背面カバー９（筐体）とを有し、手乾燥装置１の全体の外郭を形成している。また手乾燥装置１は、ユーザーの手から飛沫した水滴を貯水するドレンタンク（排水タンク）１２を有する。さらに手乾燥装置１は、手乾燥装置１が使用可能状態（待機状態）であることを示す緑色ＬＥＤランプ、排水の水路に汚れが発生したことを示すオレンジ色のＬＥＤランプおよび異常を示す赤色ＬＥＤランプからなる本体表示部１３と、ドレンタンク１２内に貯水されたドレン水（排水）が満水状態であることを示す赤色ＬＥＤランプからになるドレン表示部１４とを有する。ドレンタンク１２は、ケーシング１０に対して図１の矢印方向に着脱可能であり、ドレン表示部１４は、ドレンタンク１２が満水状態になったとき、赤色ＬＥＤランプを点灯させることにより、ユーザーにドレン水を廃棄処分するように警告するものである。
【００１１】
図２（ａ）は、図１に示す手乾燥装置１から背面カバー９を取り外したケーシング１０を背面側（設置された壁側）から見た背面概念図であり、図２（ｂ）は、手乾燥装置１の右側面の断面概念図である。図２（ａ）および（ｂ）に示すように、手乾燥装置１のケーシング１０は、概略ユーザーに対して前後に配置された後方張出部７２（ユーザーから遠い張出部）および前方張出部７４（ユーザーに近い張出部）を有し、その間に手挿入部１１が形成されている。後方張出部７２には本体表示部１３が設けられている。ケーシング１０の中には、ユーザーの手が手挿入部１１内に挿入されたとき、濡れた手を乾燥させるための乾燥風を形成するための送風機４２と、手挿入部１１内に紫外線を照射することによりユーザーの手の表面を殺菌・滅菌したり手挿入部１１内を明るくする照明部（図示せず）と、手挿入部１１内にユーザーの手が挿入されたか否かを検知する静電容量式の検知センサー（詳細は後述）および排水の水路の汚れを検知するための静電容量式の検知センサー（詳細は後述）と、回路基板２９を有する。回路基板２９は、外部から受給した電源から内部電源を生成する等の電気・電子部品（図示せず）や、制御部３０等を有する。制御部３０は、本体表示部１３、ドレン表示部１４および送風機４２等を制御している。
【００１２】
手乾燥装置１は、ケーシング１０の後方張出部７２および前方張出部７４のそれぞれに送風口４４ａ，４４ｂを有し、図２（ｂ）の矢印で示すように、送風機４２から送風される乾燥風が後方張出部７２および前方張出部７４の内部に形成された風路を通って送風口４４ａ，４４ｂから、ユーザーの手のひらおよび手の甲の両面に向けて案内されるように構成されている。
【００１３】
尚、送風機４２は、濡れた手を乾燥させるために乾燥風を形成するものであれば任意のものを採用することができ、好適には、回転数を制御して、風量を自在に調整できるものが好ましい。また、送風機４２は、送風モータでなくてもコンプレッサー等で圧縮空気をタンクに貯め、可変バルブの開閉で制御するものでもよく、本願発明を限定するものではない。
【００１４】
手挿入部１１からドレンタンク１２の間には、手から除去され手挿入部１１へ飛んだ水を手挿入部１１からドレンタンク１２へ導く水路が設けられている。水路は、排水口１８と排水管１９で構成されている。排水口１８は、手挿入部１１の底面の一部に形成された穴形状で、穴の淵が下方へ延びた筒状の延出部１８ａ（図６）を備え、手挿入部１１の水滴を排水管１９へ導いている。排水管１９は、中空のパイプ状の形状で、一方の端が排水口１８の延出部１８ａの外側に勘合して排水口１８の下方の接続されている。排水管１９の他方は下方へ延び、排水管１９の下端が、手乾燥装置１の下部に設けたドレンタンク１２の上面に設けられた開口穴１２ａ（図６）の上方に開口穴１２ａを臨むように近接して設けられている。したがって、手から除去され飛沫した水滴は、手挿入部１１の内壁を伝わり排水口１８へ集められ、排水口１８から排水管１９の中を通って開口穴１２ａを通りドレンタンク１２へ流れ、貯水される。
【００１５】
また検知センサー（詳細は後述）は、制御部３０に接続された導電線２２を有し、導電線２２はケーシング１０の内壁へ延び送風口４４の周囲を介してケーシング１０の内壁に沿って手挿入部１１の下方まで延びる一対の導電線２２ａ，２２ｂと、排水口１８へ延び排水口１８の周囲に沿って囲むよう設けられた導電線２２ｃおよび排水管１９の下端付近へ延び排水管１９の下端付近の周囲に沿って囲むように設けられた導電線２２ｄで構成される。
【００１６】
導電線２２ａ，２２ｂは、制御部３０からケーシング１０の後方張出部７２のみの内壁に沿って配置され、送風口４４ａの周囲を取り囲むように形成することにより、ユーザーの手をより検知しやすくしている。導電線２２ａ，２２ｂは、好適には絶縁被膜された導電線であり、ユーザーの手が手挿入部１１内に挿入されたことにより、静電容量が変化する導電体であれば任意の材料および構成を採用することができる。また図２（ａ）では、導電線２２ａ，２２ｂは、簡単な矩形平面形状を有するものとして図示したが、さらには手挿入部１１に対向するケーシング１０の後方張出部７２の内壁のより広い面積において網羅するように、たとえばジグザク形状や螺旋形状（図示せず）を有していてもよい。また、導電線２２ａ，２２ｂの両端を接続して単一の導電線としてもよい。
【００１７】
導電線２２ｃまたは導電線２２ｄは、制御部３０から延び、排水口１８の延出部１８ａまたは排水管１９の下端の周囲をそれぞれ取り囲むように外周に巻いて形成することにより、汚れが堆積しやすい排水口１８または排水管１９の下端の汚れを検知しやすくしている。導電線２２ｃ，２２ｄも、好適には絶縁被膜された導電線であり、排水に含まれる汚れが堆積することにより、静電容量が変化する導電体であれば任意の材料および構成を採用することができる。
【００１８】
図３は、この発明の実施の形態１に示す手乾燥装置において、（ａ）および（ｂ）は、ケーシング１０の内壁に設けた開口部１５を含む溝部１６を示す斜視図および平面図である。また、図４は、この発明の実施の形態１に示す手乾燥装置において、（ａ）および（ｂ）は、図３（ａ）および（ｂ）の変形例による溝部を示す斜視図および平面図である。図３（ａ）および（ｂ）に示すように、ケーシング１０の内壁に開口部１５を含む溝部１６を設け、導電線２２は、その外径と溝部１６の幅が同等となり、かつ、開口部１５の幅がその外径より狭小となるように構成して、この開口部１５を介して比較的に軟質の絶縁被膜を押し込むことによりケーシング１０の内壁に沿って配置される。すなわちケーシング１０は、導電線２２を溝部１６内に収容することを支援する突起部１７を有する。このように構成することより、導電線２２の配置位置および形状を一定にし、アセンブリの作業効率を改善することができる。この場合、接着テープなどの固定部材を用いて、導電線２２をケーシング１０に固定する場合に比して、浮遊容量の増加、導電線２２の配置位置の安定、作業工数の削減において優れた効果を実現することができる。
【００１９】
この変形例として、ケーシング１０の内壁において、導電線２２の外径より狭小となる開口部１５を構成する突起部１７を、連続的に形成する代わりに、図４（ａ）および（ｂ）に示すように、複数位置において断続的に配置しても上記と同様の効果を得ることができる。この変形例は、連続的に延びる突起部１７をケーシング１０に一体成形することは困難であるが、断続的な突起部１７については一体成形することが比較的に容易である場合に、特に有益である。
【００２０】
尚、導電線２２は、たとえば表面が絶縁被膜された導電性の線材（電線、アンテナ線等）で、誘電体であるユーザーの手が手挿入部１１内に挿入されたこと又は誘電体である汚れが水路内に蓄積されたことにより、ケーシング１０を介して非接触式に静電容量が変化する導電体であれば任意の材料および構成を採用することができる。したがって、単体の導電性の線材ではなく、基板上に導電線２２をプリントしたプリント基板（ＰＣＢ）でもよく、プリント基板（ＰＣＢ）であれば導電線２２を細かく複雑に配置する場合でも容易に行なうことができる。
【００２１】
次に静電容量式の検知センサーについて説明する。図５は本実施の形態１に示す手乾燥装置１の制御に関する全体ブロック図である。図５に示すように、制御部３０には、導電線２２ａ，２２ｂ、２２ｃ、２２ｄ、ドレン導電板２４、本体表示部１３、ドレン表示部１４、および送風機４２が接続されている。制御部３０は、導電線２２ａ〜２２ｄが接続され導電線２２ａ〜２２ｄの静電容量をそれぞれ独立して検出する検出手段３１と、検出手段３１で検出した導電線２２ａおよび２２ｂの静電容量の値に基づいて手挿入部１１の手の有無を検知する手検知手段３２と、検出手段３１で検出した導電線２２ｃの静電容量の値に基づいて排水口１８における汚れを検知する汚れ検知手段３３と、検出手段３１で検出した導電線２２ｄの静電容量の値に基づいて排水管１９の下端における汚れを検知する汚れ検知手段３４と、手検知手段３２または汚れ検知手段３３、３４の検知結果に基づいて、本体表示部１３、送風機４２等の動作を制御する制御手段３５とを備えている。このように手挿入部１１の手を検知する静電容量式の検知センサーは、導電線２２ａ、２２ｂ、検出手段３１および、手検知手段３２で構成され、水路の汚れを検知する静電容量式の検知センサーは、導電線２２ｃ、２２ｄ、検出手段３１および汚れ検知手段３３、３４で構成される。
【００２２】
また、ドレン導電板２４も検出手段３１に接続され、検出手段３１で検出した導電板２４の静電容量の値に基づいて制御部３０に設けられた水量検知手段（図示せず）がドレンタンク１２の水量を検知し、水量検知手段（図示せず）の検知結果に基づいて制御手段３５がドレン表示部１４を制御している。更に導電板２４の静電容量が所定の閾値未満である場合にはドレンタンク１２がケーシング１０に未装着であると判断し、制御部３５が送風機４２の運転を禁止する。
【００２３】
次に検知センサーによる手の検知および汚れの検知について説明する。先ず手の検知について説明すると、検出手段３１が手挿入部１１内に挿入されたユーザーの手などの誘電体により手挿入部１１内の比誘電率の変化に応じて変化する各導電線２２ａ，２２ｂの静電容量を示すアナログ信号を検出し、手検知手段３２が検出手段３１で検出した静電容量と所定の閾値と比較し、検出手段３１で検出した各導電線２２ａ，２２ｂの静電容量が所定の閾値以上と判断したとき、手挿入部１１内に「手有り」と判断する。また、手検知手段３２が検出手段３１で検出した静電容量をみて、所定の閾値以下と判断したとき、手挿入部１１内に「手無し」と判断する。手検知手段３２が「手有り」と判断した場合には制御手段３５が送風機４２を動作させ、手検知手段３２が「手無し」と判断した場合には制御手段３５が送風機４２を停止させるので、手挿入部１１に手が挿入されると送風機４２が動作して送風口４４から乾燥風を手挿入部１１に向けて吹出し、手が手挿入部１１から抜かれると送風機４２が停止し送風口４４からの乾燥風の吹出しが停止する。
【００２４】
汚れ検知について説明すると、検出手段３１が排水口１８付近に堆積した汚れなどの誘電体により排水口１８付近の比誘電率の変化に応じて変化する導電線２２ｃの静電容量を示すアナログ信号を検出し、汚れ検知手段３３が検出手段３１で検出した導電線２２ｃの静電容量と予め定められた所定の第一の閾値とを比較し、導電線２２ｃの静電容量が所定の第一の閾値以上と判断したとき、「汚れ有り」と判断する。汚れ検知手段３３が、導電線２２ｃの静電容量が所定の第一の閾値以上と判断した場合（「汚れ有り」と判断した場合）には、制御手段３５が本体表示部１３のオレンジ色のＬＥＤランプを点灯させ、排水の水路に汚れが発生（堆積）したこと報知する。
【００２５】
更に汚れの堆積が進行し、汚れ検知手段３３が検出手段３１で検出した導電線２２ｃの静電容量と第一の閾値より大きい値で予め定められた所定の第二の閾値とを比較し、導電線２２ｃの静電容量が所定の第二の閾値以上と判断したとき、「汚れの堆積が進行した」と判断する。汚れ検知手段３３が、導電線２２ｃの静電容量が所定の第二の閾値以上と判断した場合（「汚れの堆積が進行した」と判断した場合）には、制御手段３５は本体表示部１３の赤色のＬＥＤランプを点灯させ、異常が発生していることを報知するとともに、送風機４２の運転を禁止し、手検知手段３２が「手有り」を検知しても送風機４２を動作させることなく停止状態を維持させる。
【００２６】
同様に、検出手段３１が排水管１９の下端付近に堆積した汚れなどの誘電体により排水管１９の下端付近の比誘電率の変化に応じて変化する導電線２２ｄの静電容量を示すアナログ信号を検出し、汚れ検知手段３４が検出手段３１で検出した導電線２２ｄの静電容量と予め定められた所定の第一の閾値とを比較し、導電線２２ｄの静電容量が所定の第一の閾値以上と判断したとき、「汚れ有り」と判断する。汚れ検知手段３４が、導電線２２ｄの静電容量が所定の第一の閾値以上と判断した場合（「汚れ有り」と判断した場合）には、制御手段３５は本体表示部１３のオレンジ色のＬＥＤランプを点灯させ、排水の水路に汚れが発生（堆積）したこと報知する。
【００２７】
同様に、更に汚れの堆積が進行し、汚れ検知手段３３が検出手段３１で検出した導電線２２ｄの静電容量と第一の閾値より大きい値で予め定められた所定の第二の閾値とを比較し、導電線２２ｄの静電容量が所定の第二の閾値以上と判断したとき、「汚れの堆積が進行した」と判断する。汚れ検知手段３３が、導電線２２ｄの静電容量が所定の第二の閾値以上と判断した場合（「汚れの堆積が進行した」と判断した場合）には、制御手段３５は本体表示部１３の赤色のＬＥＤランプを点灯させ、異常が発生していることを報知するとともに、送風部４２の運転を禁止し、手検知手段３２が「手有り」を検知しても送風部４２を動作させることなく停止状態を維持させる。
【００２８】
本体表示部１３のオレンジ色または赤色のＬＥＤの点灯および送風機４２の運転禁止は、汚れ検知手段３３または汚れ検知手段３４のどちらか一方の判断があれば実施される。したがって、汚れが除去されて導電線２２ｃおよび導電線２２ｄの静電容量が小さくなり、汚れ検知手段３３および汚れ検知手段３４のどちらも、導電線２２ｃまたは導電線２２ｄの静電容量が所定の第二の閾値未満であると判断すれば、制御部３５が送風機４２の運転禁止を解除し、手検知手段３２が「手有り」を検知すれば送風機４２を動作させるとともに、本体表示部１３の赤色のＬＥＤを消灯させて異常状態を解除する。また、汚れ検知手段３３および汚れ検知手段３４のどちらも、導電線２２ｃまたは導電線２２ｄの静電容量が所定の第一の閾値未満であると判断すれば、制御部３５が本体表示部１３のオレンジ色のＬＥＤを消灯させ、汚れの発生の報知を終了させる。
【００２９】
尚、第二の閾値としては、汚れの堆積が進行して水路がほぼ塞がれ、水があまり流れない程度の状態の静電容量の値に設定するとよい。また、汚れが発生する前の導電線２２ｃと導電線２２ｄの静電容量の初期値が互いに異なる場合や、導電線２２ｃ、２２ｄが設置されている箇所の水路のサイズが互いに異なる場合には、汚れ検知手段３３および汚れ検知手段３４で判断する第一の閾値および第二の閾値を、汚れ検知手段３３および汚れ検知手段３４でそれぞれ個々に適切に設定するとよい。
【００３０】
尚、本実施の形態１では、第一の閾値および第二の閾値を設定し、第一の閾値に基づいて汚れの発生を検知し本体表示部１３でオレンジ色のＬＥＤを点灯させて汚れが発生したことを報知するとともに、第二の閾値に基づいて汚れの堆積の進行を検知し本体表示部１３の赤色のＬＥＤを点灯させ異常が発生したことを報知し更に送風機４２の運転を禁止させたが、第二の閾値は設けず第一の閾値で、本体表示部のオレンジ色のＬＥＤおよび赤色のＬＥＤを点灯させるとともに送風機４２の運転を禁止させてもよい。
【００３１】
更に、排水の水路の汚れの堆積について説明する。図６はこの発明の実施の形態１に示す手乾燥装置において、排水の水路を示す正面部分断面図である。図６に示すように、排水口１８は、手挿入部１１の底面の一部に形成された穴形状で、穴の淵が下方へ延びた延出部１８ａが形成されている。手から除去され手挿入部１１へ飛んだ水は、手挿入部１１の内壁で受けて止められ、排水口１８へ集められる。集められた水には、手に付着していた汚れや手挿入部１１の内壁に付着していた汚れ（例えば、手の脂成分、洗剤成分、土、砂、埃、髪の毛、など）が含まれている。したがって排水口１８には汚れを含んだ水が集中し、排水口１８はほぼ水平の手挿入部の底から鉛直方向に水の流れが急変化する場所なので水の流れの淀みが生じやすく、排水口１８に汚れが堆積しやすい。また、排水管１９の下端など物理的な端にも汚れが付着しやすく汚れが堆積しやすい。そして、一旦汚れが堆積し始めると、堆積した汚れに新たな汚れが引っかかりやすく、汚れの堆積が集中し成長）してしまう。そのため、本実施の形態１では、汚れの堆積しやすい排水口１８の外周および排水管１９の下端付近の外周にそれぞれ導電線２２ｃ、２２ｄを巻き、汚れの堆積に伴う静電容量の変化を検知して汚れの堆積をモニターしている。
【００３２】
尚、本実施の形態１では、一般的に水路において汚れが堆積しやすい箇所である排水口１８および排水管１９の下端付近に導電線２２ｃ、２２ｄを設けて汚れの堆積をモニターした例を示したが、排水管１９の形状によっては汚れが堆積しやすい場所が他にある場合がある。例えば図７に示す排水の水路の別の変形例では、排水管１９に急に曲がった急変部１９ｂがあり、この急変部１９ｂでも水の流れが急変し淀みが生じやすく汚れが堆積しやすいため、この急変部１９ｂの外周を囲むように外周に導電線２２ｅを巻いて設置するとよい。また、排水管１９の断面積が急に小さくなる急変部１９ｃでも水の流れが急変し淀みが生じやすく汚れが堆積しやすいため、この急変部１９ｃの外周を囲むように外周に導電線２２ｆを巻いて設置するとよい。もちろん、図７で示した急変部１９ｃは、急に曲がりかつ急に断面積が小さくなった形状を示しているが、図示はしないが全体的には直線形状でも断面積が急に小さくなる形状であれば急変部１９ｃに含まれることは言うまでもない。
【００３３】
以上の構成の手乾燥装置では、手挿入部１１の水をドレンタンク１２へ導く排水用の水路に導電線２２を配置し、導電線２２の静電容量に基づいて水路の汚れを検知する汚れ検知手段３３または汚れ検知手段３４を備えたので、水路の中を直接目視で確認しなくても、水路内の汚れを自動で検知することができる。
【００３４】
また、外部からは目視できない水路の中の汚れを検知できるため、外部から確認できない水路の汚れの堆積を容易に知ることができ、清掃管理を行いやすく、適切な時期に水路を清掃することで異臭の発生や水路の詰まりを防止することができる。
【００３５】
また、導電線２２ｃを排水口１８の延出部１８ａの周囲を取り囲むように排水口１８の近傍に設けてあるので、水路において汚れが堆積しやすい排水口１８の汚れの堆積を検知することができ、広範囲な水路の全体に導電線を設けなくても水路の汚れの堆積を効率的に検知することができる。
【００３６】
また、導電線２２ｄを配水管１９の下端近傍の周囲を取り囲むように配水管１９の下端の近傍に設けてあるので、水路において汚れが堆積しやすい排水管１９の下端近傍の汚れの堆積を検知することができ、広範囲な水路の全体に導電線を設けなくても水路の汚れの堆積を効率的に検知することができる。
【００３７】
また、導電線２２ｅを配水管１９の角度が急に変わる急変部１９ｂの近傍の周囲を取り囲むように急変部１９ｂの近傍に設けてあるので、水路において汚れが堆積しやすい急変部１９ｂの近傍の汚れの堆積を検知することができ、広範囲な水路の全体に導電線を設けなくても水路の汚れの堆積を効率的に検知することができる。
【００３８】
また、導電線２２ｆを配水管１９の断面積が急に小さくなる急変部１９ｃの近傍の周囲を取り囲むように急変部１９ｃの近傍に設けてあるので、水路において汚れが堆積しやすい急変部１９ｃの近傍の汚れの堆積を検知することができ、広範囲な水路の全体に導電線を設けなくても水路の汚れの堆積を効率的に検知することができる。
【００３９】
また、筐体であるケーシング１０に、汚れの発生（堆積）を知らせる報知手段である本体表示部１３を備え、汚れ検知手段３３または汚れ検知手段３４が、導電線２２ｃまたは導電線２２ｄの静電容量が所定の閾値以上であると判断した場合に、制御手段３５が本体表示部１３のオレンジ色のＬＥＤランプを点灯させ、排水の水路に汚れが発生（堆積）したこと報知するので、水路の中を見なくても水路に汚れが発生（堆積）したかどうかを容易に確認することができる。
【００４０】
また、汚れ検知手段３３または汚れ検知手段３４が、導電線２２ｃまたは導電線２２ｄの静電容量が所定の閾値以上であると判断した場合に、制御手段３５が送風機４２の運転を禁止するので、汚れ発生（堆積）に気づかずにそのまま手乾燥装置１を使用されることがなく、水路の汚れの堆積の進行防止や水路の完全な詰まりを防止することができる。また、完全に水路が詰まる前に手乾燥装置１の使用を停止させることができるので、手挿入部１１から水が溢れ出してしまうことを防止できる。
【００４１】
また、第一の閾値と第一の閾値より大きい値の第二の閾値で構成された２段階の閾値を設け、導電線２２ｃまたは導電線２２ｄの静電容量が所定の第一の閾値以上である判断した場合には、制御手段３５が本体表示部１３のオレンジ色のＬＥＤを点灯させて汚れの発生（堆積）を報知するとともに、導電線２２ｃまたは導電線２２ｄの静電容量が第二の閾値以上であると判断した場合には、制御手段３５が送風機４２の運転を禁止し、更に本体表示部１３の赤色のＬＥＤを点灯させて異常が発生したことを報知するので、汚れの発生（堆積）と汚れの堆積の進行具合のどちらも別々に検知し報知することができる。そのため、汚れが発生した初期段階では汚れが発生したことを報知しつつ手乾燥装置１を使用継続できるとともに、水路が詰まるほど汚れが進行した場合には水路が完全に詰まってしまう前に手乾燥装置１の使用を停止させ、手挿入部１１から水が溢れ出してしまうことを防止できる。
【００４２】
尚、本実施の形態１では、報知手段としてＬＥＤランプ構成される本体表示部１３を例として示したが、報知手段は上記に限定されるものではなく、例えばＬＥＤランプの代わりに液晶などのディスプレイでもよく、またブザーなどで聴覚的に報知するものでよい。
【００４３】
また、本実施の形態１では、導電線２２ｃ〜２２ｆを排水口１８の外周または排水管１９の外周に巻いた例を示したが、その巻き方を螺旋状に複数回巻けば、汚れが堆積する範囲を網羅的に検知することができ、汚れが詰りやすい箇所での汚れの堆積に伴う静電容量の検出精度を更に向上させることで、汚れの発生（蓄積）の検知精度を向上させることがきる。
【００４４】
また、本実施の形態１では、排水口１８は穴形状であり、排水管１９はパイプ状の形状を例に示したが、どちらも水を流通させることができる形状であれば何でもよい。また、排水口１８、排水管１９がそれぞれ複数の部品から構成され、清掃時に複数の部品を離すことで排水口１８または排水管１９の水路の中が外部に露出するものでもよい。
【００４５】
また、上記効果の説明では導電線２２ｃおよび２２ｄで説明したが、導電線２２ｅおよび２２ｆでも同様であることは言うまでもない。
【００４６】
実施の形態２．
図８は、本願発明の実施の形態２に示す手乾燥装置において、排水の水路を示す正面断面図である。図８において、汚れの堆積しやすい排水口１８の外側近傍および排水管１９の下端付近の外側近傍にそれぞれプリント基板（ＰＣＢ）１２０が設けられている。また、プリント基板（ＰＣＢ）１２０の基板面が、排水口１８の外側または排水管１９の外側に沿って水の流れ方向に沿うように設けられている。図９は本願発明の実施の形態２に示す手乾燥装置において、プリント基板（ＰＣＢ）１２０の正面図である。図９に示すように、プリント基板（ＰＣＢ）１２０には、蛇行するように導伝線１２２がプリントされている。排水口１８の近傍のプリント基板（ＰＣＢ）１２０の導伝線１２２は、制御部３０に接続されている導電線２２ｃに接続され、排水管１９の下端付近の近傍のプリント基板（ＰＣＢ）１２０の導伝線１２２は、制御部３０に接続されている導電線２２ｄに接続されている。その他の構成および動作については実施の形態１と同じであるので、ここでは説明を省略する。
【００４７】
以上の構成の手乾燥装置では、実施の形態１と同等の効果があるとともに、プリント基板（ＰＣＢ）１２０に導伝線１２２を蛇行するように設けているので、静電容量を検知したい所定の範囲を網羅的に検知することができ、汚れが詰りやすい箇所での汚れの堆積に伴う静電容量の検出精度を向上させることで、汚れの発生（蓄積）の検知精度を向上させることがきる。
【００４８】
尚、本実施の形態２では、プリント基板（ＰＣＢ）１２０上には蛇行状の導伝線１２２の例を示したが、渦巻状、並列に複数並べた導電を他の銅線で一度に結ぶ形状（魚の骨の形状に似た形状）、その他にいろいろな配置パターンがあり、静電容量を検知したい所定の範囲を網羅的に検知するものであればその配置パターンは蛇行状に限られるものではない。
【００４９】
実施の形態３．
図１０は、本願発明の実施の形態３に示す手乾燥装置において、排水の水路を示す左側面断面図である。図１０に示すように、配水管１９において汚れがあまり蓄積しない箇所（ほぼ鉛直方向に延びている形状の箇所）で、導電線２２ｃまたは導電線２２ｄの近くに導伝線２２ｐおよび導電線２２ｑを設けている。導電線２２ｐおよび導伝線２２ｑも制御部３０にそれぞれ接続され、検出手段３１で導電線２２ｐおよび導伝線２２ｑに生じる静電容量が検知される。汚れ検知手段３３または汚れ検知手段３４はそれぞれ、導電線２２ｃと導伝線２２ｐ、または導電線２２ｄと導伝線２２ｑとの静電容量の値を比較し、その差（比較）が所定の閾値以上と判断したとき、「汚れ有り」と判断する。その他の構成および動作については実施の形態１と同じであるので、ここでは説明を省略する。
【００５０】
以上の構成の手乾燥装置では、実施の形態１と同等の効果があるとともに、汚れが発生する箇所の静電容量と汚れが発生しにくい箇所の静電容量との差（比較）によって算出した静電容量差に基づいて「汚れ有り」を判断するので、静電容量の検出時にノイズが発生しても、導伝線２２ｃと導伝線２２ｐ、または導電線２２ｄと導電線２２ｑで同時に発生するノイズの影響を除去することができるので、検知ノイズに影響を受けにくく、検知精度を向上させることで、汚れの発生（蓄積）の検知精度を向上させることがきる。
【００５１】
尚、本実施の形態２では導伝線ｐおよび導電線ｑは排水管１９に設けた例を示したが、導電線２２ｃまたは導電線２２ｄに生じるノイズが同様に発生し、また汚れ蓄積による静電容量の変化が小さい場所であれば排水管１９に設けなくてもよく、また導電線２２ｃまたは２２ｄの近傍でなくてもよく、導伝線ｐまたは導電線ｑの設置場所は本実施例に限定されるものではない。
【００５２】
実施の形態４．
図１１は、本願発明の実施の形態４に示す手乾燥装置において、排水の水路を示す正面断面図である。汚れの堆積しやすい排水口１８の外側近傍および排水管１９の下端付近の外側近傍に、制御部３０に接続された導伝線２２ｃまたは導電線２２ｄに接続されたプリント基板（ＰＣＢ）１２０がそれぞれ設けられている。またそれぞれのプリント基板（ＰＣＢ）１２０と排水口１８または排水管１９を間に挟んで対向するようにプリント基板（ＰＣＢ）１２１が設けられている。プリント基板（ＰＣＢ）１２１は、図８で示したプリント基板（ＰＣＢ）１２０と同等の基板で、蛇行するように導伝線１２２がプリントされている。プリント基板（ＰＣＢ）１２１の導電線１２２はアースに接地されている。プリント基板（ＰＣＢ）１２０とプリント基板（ＰＣＢ）１２１とを用い、プリント基板（ＰＣＢ）１２０とプリント基板（ＰＣＢ）１２１との間の静電容量を検出手段３１が検出することで、汚れの蓄積を検知している。その他の構成および動作については実施の形態１および実施の形態２と同じであるので、ここでは説明を省略する。
【００５３】
以上の構成の手乾燥装置では、実施の形態１および実施の形態２と同等の効果があるとともに、更にプリント基板（ＰＣＢ）１２０とプリント基板（ＰＣＢ）１２１との間の静電容量を検出手段３１が検出することができるので、直接汚れを検知したい範囲だけの静電容量を検知することができるので、汚れの発生（蓄積）の検知精度を向上させることがきる。
【符号の説明】
【００５４】
１  手乾燥装置
９  背面カバー（筐体）
１０  ケーシング（筐体）
１１  手挿入部
１２  ドレンタンク
１３  本体表示部
１８  排水口（水路）
１８ａ  延出部（水路）  
１９  排水管（水路）
１９ｂ  急変部（水路）
１９ｃ  急変部（水路）
２２  導電線（検知センサー）
２２ａ  導電線（検知センサー）
２２ｂ  導電線（検知センサー）
２２ｃ  導電線（検知センサー）
２２ｄ  導電線（検知センサー）
２２ｅ  導電線（検知センサー）
２２ｆ  導電線（検知センサー）
２２ｐ  導電線（検知センサー）
２２ｑ  導電線（検知センサー）
３０  制御部（検知センサー）
３１  検出手段（検知センサー）
３２  手検知手段（検知センサー）
３３  汚れ検知手段（検知センサー）
３４  汚れ検知手段（検知センサー）
３５  制御手段
４２  送風機
４４  送風口
１２０  プリント基板（ＰＣＢ）（検知センサー）
１２１  プリント基板（ＰＣＢ）（検知センサー）
１２２  導電線（検知センサー）
【図１】
2015084961.tif 000003
【図２】
2015084961.tif 000004
【図３】
2015084961.tif 000005
【図４】
2015084961.tif 000006
【図５】
2015084961.tif 000007
【図６】
2015084961.tif 000008
【図７】
2015084961.tif 000009
【図８】
2015084961.tif 000010
【図９】
2015084961.tif 000011
【図１０】
2015084961.tif 000012
【図１１】
2015084961.tif 000013